(57)【要約】【課題】空調ダクト内の汚染状態を該空調ダクトに連通された筒体から簡易に確認（視認）することができる空調ダクト等の点検口装置を提供する。【解決手段】天井板１とこの天井板１の裏面側に配設された空調ダクト２との間に設置され一方が空調ダクト２の一部に連通されかつ他方が天井板１とともに開口４ａされた筒体４を備えた空調ダクト等の点検口装置３であって、この筒体３の天井板１側の開口４ａ部位には開口４ａ部を閉塞する栓部材５を取外し可能に装着し、この栓部材５には筒体４内と外部との連通を許容する連通部８を形成するとともに、栓部材５の連通部８に対応する内部にはフィルター部材９を設けてなる。【選択図】  図１
2005009778.tif 000002
【特許請求の範囲】
【請求項１】
天井板とこの天井板の裏面側に配設された空調ダクトとの間に設置され、一方が該空調ダクトの一部に連通されかつ他方が該天井板とともに開口された筒体を備えた空調ダクト等の点検口装置であって、
この筒体の天井板側の開口部位には該開口部を閉塞する栓部材を取外し可能に装着し、この栓部材には該筒体内と外部との連通を許容する連通部を形成するとともに、該栓部材の連通部に対応する内部にはフィルター部材を設けてなるを特徴とする空調ダクト等の点検口装置。
【請求項２】
請求項１記載の空調ダクト等の点検口装置であって、フィルター部材は空調ダクト内の汚染状態を該フィルター部材の変色によって視認可能に構成されていることを特徴とする空調ダクト等の点検口装置。
【発明の詳細な説明】
【０００１】
【発明の属する技術分野】
この発明は、天井板の裏面側に配設された空調ダクト内の汚染状態を点検等する空調ダクト等の点検口装置に関する。
【０００２】
【従来の技術】
従来、この種の空調ダクト等の点検口装置においては、天井板と空調ダクトとの間に筒体を装着し、この筒体の一方を該空調ダクトの一部に連通しかつ他方を該天井板とともに開口し、この開口部に該開口部を閉塞する栓部材を装着して構成され、その点検等の作業時にあって、筒体から栓部材を外すとともに、この筒体内から空調ダクト内に所定の機器を挿通して該空調ダクト内の汚染状態を点検したり、或いは洗浄したりするものであった（特許文献１。）。
【０００３】
【特許文献１】
特公平３−１６５５６号公報
【０００４】
【発明が解決しようとする課題】
しかしながら、特許文献１に記載された空調ダクト等の点検口装置にあっては、閉塞用の栓部材を取外した状態にて筒体内から空調ダクト内に所定の点検用の機器を挿通して当該空調ダクト内の汚染状態を点検するものであるが、その点検のための作業に必要な機器を用意しなくてはならず、またその作業に相当の手間がかかり、面倒となる問題があった。
そこで、本発明では、上記した問題点に鑑み、空調ダクト内の汚染状態を該空調ダクトに連通された筒体から簡易に確認（視認）することができる空調ダクト等の点検口装置を提供することをその目的とする。
【０００５】
【課題を解決するための手段】
上記の目的を達成するためために、本発明の請求項１に記載した発明は、天井板とこの天井板の裏面側に配設された空調ダクトとの間に設置され、一方が該空調ダクトの一部に連通されかつ他方が該天井板とともに開口された筒体を備えた空調ダクト等の点検口装置であって、
この筒体の天井板側の開口部位には該開口部を閉塞する栓部材を取外し可能に装着し、この栓部材には該筒体内と外部との連通を許容する連通部を形成するとともに、該栓部材の連通部に対応する内部にはフィルター部材を設けてなるを要旨とするものである。
【０００６】
この構成によれば、空調ダクト内の空気を筒体内からその栓部材のフィルター部材を経て外部に流通させることによって、該フィルター部材によりその流通する空気中の塵埃を捕捉する。
そして、点検時に筒体から栓部材を取外し、該フィルター部材における捕捉した塵埃の状態を視認することによって、当該空調ダクト内の汚染状態を確認することができる。
【０００７】
請求項２に記載の発明は、請求項１記載の空調ダクト等の点検口装置であって、フィルター部材は空調ダクト内の汚染状態を該フィルター部材の変色によって視認可能に構成されていることを要旨とするものである。
【０００８】
この構成によれば、フィルター部材における変色の度合い等を視認することによって、当該空調ダクト内の汚染状態を確認することができる。
【０００９】
【発明の実施の形態】
以下、本発明の実施の形態について、図面を参照しながら説明する。
図において、天井板１の裏面側には所定の間隔をおいて空調ダクト２が配設されており、この天井板１と空調ダクト２との間に本実施の態様における点検口装置３が設置されるものである。
【００１０】
この点検口装置３は、天井板１と空調ダクト２との間に配設された所望の断面形状（図では円形状）の筒体４を主体として構成され、この筒体４は一方端部（図では上端部）が前記空調ダクト２の一部に対しその内部と連通状態でねじ着等の所望の手段にて固着され、他方端部（図では下端部）が該天井板１の開口部１ａ内に臨んで位置されている。なお、筒体４の一方端部の他面は空調ダクト２の内部下側壁面とほぼ同一面い位置させることが望ましく、また、他方端は開口４ａ状態とされている。
【００１１】
前記筒体４の開口４ａされた他方端部には該開口４ａを閉塞するキャップ状の栓部材５が取外し可能に装着されている。すなわち、この栓部材５は筒体４より大径の上下に２分割された割形状に合成樹脂から形成されており、そのほぼリング状の上部本体６ａが該筒体４に固着されるとともに、有底リング状の下部本体６ｂが該上部本体６ａに対して後述する係合手段７を介して取外し可能に装着されている。この栓部材５によって筒体４の開口４ａが閉塞された状態となるものである。
【００１２】
そして、前記栓部材５における下部本体６ｂの側壁部及び底壁部には前記筒体４内と外部との連通を許容する比較的小さな角窓及び小径孔からなる連通部８〜８が形成され、この連通部８〜８に対応する内部には所望の厚さの不織布または紙質等からなるフィルター部材９が交換可能に設けられている。これによって、空調ダクト２を流通する空気を筒体４内に導入して栓部材５内のフィルター部材９を経て連通部８〜８から外部に流通させることができるように構成されるものである。なお、前記フィルター部材９は通過する空気の汚染状態によって変色する材質から形成することができる。
【００１３】
前記栓部材５における上部本体６ａと下部本体６ｂとの係合手段７は、該上部本体６ａの側壁の相対向する部位に形成された平面コ字状の第１の係合部７ａと、下部本体６ｂの側壁の相対向する部位に起立状に突設されかつ前記第１の係合部７ａに挿入して係合する外向きの係合段部を有する第２の係合部７ｂとから構成されている。
【００１４】
そして、この第２の係合部７ｂを起立状に突設することにより内外方に向かう弾性力を付与する構成として、第２の係合部７ｂをその弾力に抗して第１の係合部７ａに挿入することにより、その復帰弾力を利用して係合段部を第１の係合部７ａに係合して両者を係合し、該上部本体６ａに対して下部本体６ｂを装着し、前記とは逆に第２の係合部７ｂをその弾力に抗して係合段部と第１の係合部７ａとの係合を解離して第１の係合部７ａから抜取ることにより上部本体６ａに対して下部本体６ｂを取外すものである。
【００１５】
本実施の形態における点検口装置３は、上述のように構成されたものであるから、空調ダクト２を流通する空気を筒体４内に導入して栓部材５内のフィルター部材９を経て連通部８〜８から外部に流通させ、そのフィルター部材９によりその流通する空気中の塵埃を捕捉する。
【００１６】
そして、空調ダクト２内の汚染状態の点検時に際し、筒体４から栓部材５を取外し、該フィルター部材９における捕捉した塵埃の状態を視認することによって、当該空調ダクト２内の汚染状態を確認することができる。
すなわち、栓部材５における下部本体６ｂを上部本体６ａから取外し、その内部のフィルター部材９における捕捉した塵埃の状態（例えば、フィルター部材９上の塵埃等の量）を視認することによって、当該空調ダクト２内の汚染状態を簡単に確認することができる。
【００１７】
また、フィルター部材９を空調ダクト２内の汚染状態を、該フィルター部材９における変色の度合い等を視認することによって、当該空調ダクト２内の汚染状態を簡単に確認することもできる。
【００１８】
なお、本実施の形態において、筒体４を断面円形状のとしたが、これに限定するものではなく、種々の断面形状が採用できるもので、また、栓部材５の下部本体６ｂと上部本体６ａとの取外しのための係合手段７もこれに限定するものではなく、ねじ等の締着手段を採用することができる。
【００１９】
また、本実施の形態において、栓部材５を下部本体６ｂと上部本体６ａとの上下に２分割された割形状に形成したが、これに限定するものではなく、一体状に形成して筒体４に取外し可能に装着することができる。
【００２０】
【発明の効果】
請求項１に記載した発明にあっては、点検時に筒体から栓部材を取外してフィルター部材における捕捉した塵埃の状態を視認することによって、当該空調ダクト内の汚染状態を簡易に確認することができる。
【００２１】
請求項２に記載の発明にあっては、フィルター部材における変色の度合い等を視認することによって、当該空調ダクト内の汚染状態を簡易に確認することができる。
【図面の簡単な説明】
【図１】本実施の形態における点検口装置を組付けた全体の縦断面図である。
【図２】栓部材の要部を示す拡大縦断面図である。
【図３】図２のＡーＡ線断面図である。
【符号の説明】
１  天井板
１ａ  開口部
２  空調ダクト
３  点検口装置
４  筒体
５  栓部材
７  係合手段
８  連通部
９  フィルター部材
【図１】
2005009778.tif 000003
【図２】
2005009778.tif 000004
【図３】
2005009778.tif 000005